(57)【特許請求の範囲】
【請求項１】
アウタパネル及びインナパネル、これらの間で昇降するウインドウガラス、当該ウインドウガラスと前記アウタパネルとの間に配置されたインパクトバー、前記インナパネルの車室内側を覆うように取り付られるドアトリムを有するサイドドアと、車体側面視で前記サイドドアと重複するように車室内に配置された座席と、を備えた自動車の側部構造であって、
車外側の一端部を前記インパクトバーに結合し、当該一端部から前記ウインドウガラスの全開位置における最下端部の下方を回り込むように車内側に延び、車内側の他端部が前記ドアトリムの車外側に対面するように立ち上がる衝撃伝達部材を設け、
前記インナパネルは、車体側面視で前記衝撃伝達部材と重複する部分が車内側に膨出し、当該衝撃伝達部材を収容する収容部が形成されていることを特徴とする自動車の側部構造。
【請求項２】
前記インナパネルは、樹脂製のドアモジュールプレートを金属製のパネル枠部に結合して構成されており、
前記ドアモジュールプレートに前記収容部が形成されていることを特徴とする請求項１に記載の自動車の側部構造。
【請求項３】
前記衝撃伝達部材の車内側の他端部は、前記ドアトリムの下方に設けられたドアポケットと車体側面視で重複する位置に配設されていることを特徴とする
請求項１または２のいずれか１項に記載の自動車の側部構造。
【発明の詳細な説明】
【技術分野】
【０００１】
本発明は、側面衝突時にサイドドアのドアトリムを変位させて乗員への影響を緩和する自動車の側部構造に関する。
【背景技術】
【０００２】
従来の車体構造として、特許文献１には、フロントサイドドア内のインパクトバーに衝撃吸収材を取り付け、側面衝突時に衝撃吸収材が車室内側に移動すると共に、ドアインナパネルに形成された開口を介してドアトリムを車内側に押し出すような構造が記載されている。
【特許文献１】特開平０６−１９１２７５号公報
【発明の開示】
【発明が解決しようとする課題】
【０００３】
上記従来の構造は、側面衝突時にドアトリムを介して衝撃吸収材を乗員に弾性当接させることで、乗員に加わる衝撃を緩和するものであるが、インパクトバーの変形に伴い衝撃吸収材が車室内側に移動し、さらにドアインナパネルの開口部を通じて車室内側に移動し最終的にドアトリムを押し出すものであるため、ドアトリムを乗員に当接させて支持するまでの移動量が大きく、時間を要することから、この点で改善の余地がある。
【０００４】
また、従来の構造として、図７（ａ）に示すように、フロントサイドドア１０１内部における乗員の腰部近傍に衝撃吸収材１０２を配設した構造がある。しかし、この構造では、衝撃吸収材１０２がアームレスト部１０３下方に配置されるため、その配置スペース分だけドアポケット１０４の容積を縮小せざるを得ないという不都合がある。
【０００５】
この発明は、このような課題に鑑みてなされたもので、その目的は、側面衝突時にドアトリム下部が車室内側へ移動することによって乗員の腰部を支持することができる自動車の側部構造の提供を目的とするものである。
【課題を解決するための手段】
【０００６】
この発明による自動車の側部構造は、アウタパネル及びインナパネル、これらの間で昇降するウインドウガラス、当該ウインドウガラスと前記アウタパネルとの間に配置されたインパクトバー、前記インナパネルの車室内側を覆うように取り付られるドアトリムを有するサイドドアと、車体側面視で前記サイドドアと重複するように車室内に配置された座席と、を備えた自動車の側部構造であって、車外側の一端部を前記インパクトバーに結合し、当該一端部から前記ウインドウガラスの全開位置における最下端部の下方を回り込むように車内側に延び、車内側の他端部が前記ドアトリムの車外側に対面するように立ち上がる衝撃伝達部材を設け、前記インナパネルは、車体側面視で前記衝撃伝達部材と重複する部分が車内側に膨出し、当該衝撃伝達部材を収容する収容部が形成されているものである。
【０００７】
上記構成によれば、側面衝突時に車室内側に向かってインパクトバーが変形すると同時に、衝撃伝達部材がドアトリムを車室内側に移動させるので、従来の衝撃吸収材のように衝撃吸収材がドアインナパネルの開口部を介して移動してドアトリムを押し出すのを待たずに、乗員の腰部にドアトリムを移動、当接させて支持することができる。
【０００８】
また、衝撃伝達部材が車外側の一端部からウインドウガラスの最下端部との干渉を避けるように下方に回り込んで車内側に延びているため、ウインドウガラスの昇降動作を阻害することがない。また、衝撃伝達部材でも衝撃の一部を吸収するため、側面衝突時の衝撃を緩和しつつ、ドアトリムを介して乗員を支持できる。
【０００９】
しかも、前記インナパネルは、車体側面視で前記衝撃伝達部材と重複する部分が車内側に膨出し、当該衝撃伝達部材を収容する収容部を形成している。上述の衝撃伝達部材の車内側部分は車室内に近いことが望ましい一方で、インナパネルより車内側に水滴等が侵入しないようにシール性を確保することが必要である。そこで、インナパネルにおける衝撃伝達部材の車内側部分に対応する部分を車内側に膨出させて衝撃伝達部材を収容する収容部を形成し、これらの要求を両立することができる。
【００１０】
この発明の一実施態様においては、前記インナパネルは、樹脂製のドアモジュールプレートを金属製のパネル枠部に結合して構成されており、前記ドアモジュールプレートに前記収容部が形成されているものである。この構成によれば、ドアモジュールが樹脂成形できるので衝撃伝達部材の収容部を成形する際の自由度を拡大できる。
【００１１】
この発明の一実施態様においては、前記衝撃伝達部材の車内側の他端部は、前記ドアトリムの下方に設けられたドアポケットと車体側面視で重複する位置に配設されているものである。この構成によれば、乗員の腰部に近いドアポケットを介して上記乗員の支持効果を発揮することができ、さらに、ドアポケットの変形により側面衝突時の衝撃を吸収しつつ乗員を支持できる。
【発明の効果】
【００１２】
本発明によれば、側面衝突時にドアトリム下部が車室内側へ移動することによって乗員の腰部を支持し、乗員への影響を緩和することができる効果がある。
【発明を実施するための最良の形態】
【００１３】
この発明の一実施の形態を以下図面に基づいて詳細に説明する。
【００１４】
なお、以下に説明する実施の形態は、本発明の実現手段としての一例であり、本発明は、その趣旨を逸脱しない範囲で下記実施形態を修正または変形したものに適用可能である。
【００１５】
［第１の実施形態］
図１は、この発明に係る第１の実施形態の自動車の側部構造として、フロントサイドドア内部および車室内を透視して示す車幅方向から見た側面図である。図２は、第１の実施形態の自動車の側部構造としてフロントサイドドア内部および車室内を車体前方から見た断面図である。図３は、フロントサイドドア内部の詳細構成を示す断面図である。図４は、本実施形態の衝撃伝達部材を備えたフロントサイドドアによる側面衝突時の挙動変化を示す断面図である。
【００１６】
図１乃至図４に示すように、車体側部には、センタピラー３を挟んで車体前方側および後方側のそれぞれに、車室内外を連通するようにフロント開口部１Ｆおよびリヤ開口部１Ｒが形成されている。
【００１７】
フロント開口部１Ｆは、前縁部がフロントピラー２、後縁部がセンタピラー３、上縁部がルーフサイドレール４、下縁部がサイドシル５で画定されている。また、リヤ開口部１Ｒは、前縁部がセンタピラー３、後縁部がリヤピラー（不図示）、上縁部がルーフサイドレール４、下縁部がサイドシル５で画定されている。なお、センタピラーがない車体構造もある。
【００１８】
フロント開口部１Ｆの前縁部には、略水平に回動して当該フロント開口部１Ｆを開閉するようにヒンジを介してサイドドアとしてのフロントサイドドア６の前端部が結合されている。
【００１９】
サイドシル５は、車室内の床面を構成するフロアパネル７の車幅方向の側縁部に沿って車体前後方向に延びている。
【００２０】
また、サイドシル５の表面は、乗降時の乗員の靴底による擦れ等から保護するカバー部材５ｄおよびスカッフプレート８で覆われている。カバー部材５ｄおよびスカッフプレート８は、クリップ等によりサイドシル５の表面に取り付けられている。
【００２１】
また、ルーフサイドレール４は車室内の天井部分を構成するルーフパネル９の側縁部に沿って車体前後方向に延びている。また、センタピラー３にはシートベルト１０およびベルト巻取り機構（不図示）が配設される。
【００２２】
ルーフサイドレール４は、鋼材からなるアウタパネルおよびインナパネルの各側縁のフランジ部を接合して所望の強度を確保した閉断面部材を構成している。
【００２３】
サイドシル５は、鋼材からなるアウタパネル５ａ、インナパネル５ｂおよび両パネル５ａ，５ｂ間に配設される補強鋼板５ｃの上下のフランジ部を接合して所望の強度を確保した閉断面部材を構成している。
【００２４】
フロアパネル７の車室内側表面には、遮音効果のある布製のフロアマット１１が敷き詰められている。また、ルーフパネル９の車室内側表面は防音効果のある樹脂製のトップシーリング１２で覆われている。
【００２５】
また、フロアパネル７上には、フロントサイドドア６の閉成状態で該フロントサイドドア６の車室内側面（ドアトリム）に近接し、車幅方向から見て（車体側面視で）フロントサイドドア６と重複する位置にフロントシート１３が配置されている。
【００２６】
フロントシート１３は、フロアパネル７から突出して形成されたシートマウント１４に取り付けらるシートレール１５と、スライドレバー１６ａによりシートレール１５にスライド可能に保持されて乗員Ｈが着座するシートクッション１６と、リクライニングレバー１７ａによりシートクッション１６後端部に車体前後方向に傾動（リクライニング）可能に軸支された背もたれ部１７と、背もたれ部１７の上端部に配設されるヘッドレスト１８と、を有する。
【００２７】
この実施形態の自動車の側部構造はフロアパネル７の車幅方向の中央部Ｌを中心として略対称に構成されており、互いに隣接して運転席および助手席となるフロントシート１３が配設される。
【００２８】
車室内のフロントシート１３前方には、計器類やスイッチ類が配置されるインストルメントパネル１９やステアリングハンドル２０、足元にはペダル類２１が配設されている。
【００２９】
＜ドアの内部構造＞
フロントサイドドア６は、図３に示すように、車幅方向に沿って、最も外側に位置するアウタパネル３１と、アウタパネル３１より車室内側に位置するインナパネル３２と、インナパネル３２の車室内側を覆うドアトリム３３と、で構成される。
【００３０】
アウタパネル３１およびインナパネル３２は鋼板からなり、両パネル３１，３２の間に空間を形成するように互いの側縁部および下縁部が溶接等で接合され、上縁部にはドアガラス２５が昇降可能にスリット状の開口部が形成されている。
【００３１】
アウタパネル３１の車室内側表面には、鉛直方向の略中央付近で車体前後方向に延びる補強鋼材３４が溶接等で接合され、さらに、この補強鋼材３４の下方には車体前後方向に延びるインパクトバー３５が溶接等で接合されている。インパクトバー３５は補強鋼材３４と共に、側面衝突時等においてフロントサイドドア６に印加される衝撃を受容する機能を有する。
【００３２】
アウタパネル３１には、車外からフロントサイドドア６の開閉操作を行うドアアウタハンドル３６が配設されている。
【００３３】
インナパネル３２は、その上端部３２ａおよび下端部３２ｂが所定の強度を有する鋼材で構成され、これら上端部３２ａおよび下端部３２ｂを外枠部として樹脂製のパネル部材３２ｃをボルト等で連結した、所謂ドアモジュールとして構成されている。
【００３４】
インナパネル３２の上端部３２ａおよび下端部３２ｂとパネル部材３２ｃとは、水滴等がインナパネル３２の車室内側に侵入しないようシールされた状態で連結される。
【００３５】
なお、インナパネル３２を全て鋼材で構成してもよいが、インナパネル３２をドアモジュールとして構成すると、ドアトリム３３との間に配設される部品のレイアウトに応じてパネル部材３２ｃの形状のみを決定し成形できるという利点がある。
【００３６】
ドアトリム３３は樹脂製であり、車室内の内装材の一部を構成している。アウタパネル３１とインナパネル３２との間の空間にはドアガラス２５や該ドアガラス２５を昇降させるウインドレギュレータ２６（図１参照）等が配設される。
【００３７】
ドアトリム３３の車室内側表面には、車内からフロントサイドドア６の開閉操作を行うドアインナハンドル２７やドアロック（不図示）、アームレスト部３３ａが設けられている。
【００３８】
アームレスト部３３ａは、車室内側に膨出するようにドアトリム３３の鉛直方向の略中央付近で車体前後方向に延びている。さらに、ドアトリム３３のアームレスト部３３ａの後下方には車室内側に膨出して収納用の空間部を形成するドアポケット３３ｂが形成されている。さらに、ドアポケット３３ｂの前方にはドアトリム３３にスピーカを取り付けるための円形のスピーカグリル３３ｃが配設されている。
【００３９】
ドアトリム３３の車室外側の表面（インナパネル３２の車室内側）には、フロントサイドドア６内部のドアトリム３３の上端部から中段付近にかけて、発泡スチロール製の衝撃吸収材３８が取り付けられている。衝撃吸収材３８は、側面衝突時にドアトリム３３を介して乗員の肩部付近に弾性当接し、フロントサイドドア６が車室内側に変位することで乗員に与える衝撃を緩和する。なお、衝撃吸収材３８は、ドアトリム３３の車外側の表面のほか、インナパネル３２を挟むように該インナパネル３２の車外側にも設けた構成としてもよい。
【００４０】
フロントサイドドア６内部には、アウタパネル３１のインパクトバー３５からインナパネル３２に亘って延びる衝撃伝達部材３７が配設されている。衝撃伝達部材３７は、インパクトバー３５に溶接等で接合された車外側の一端部３７ａと、この一端部３７ａから下方に延び、ドアガラス２５の全開位置（図３参照）における最下端部２５ａの下方を回り込むように湾曲して車内側に延びる湾曲部３７ｃと、この湾曲部３７ｃからドアトリム３３の車外側の表面に対面して立ち上がる車内側の他端部３７ｂとを有し、車体前方から見て略Ｕ字状の形状を有している。衝撃伝達部材３７は鋼板で構成され、少なくとも１つ（この施形態では、車体前後方向に隣接して２つ）設けられている。
【００４１】
インナパネル３２のパネル部材３２ｃは、車幅方向から見て衝撃伝達部材３７と重複する部分が車内側に膨出し、衝撃伝達部材３７の他端部３７ｂを収容する収容部３２ｄを形成している。衝撃伝達部材３７の他端部３７ｂは、ドアトリム３３の下方に設けられたドアポケット３３ｂと車幅方向から見て重複する位置に配設される。
【００４２】
なお、フロントサイドドア６の上縁部に形成されたスリット状の開口部から侵入した水滴は、アウタパネル３１とインナパネル３２との間の空間においてドアガラス２５の車外側および車内側の各表面に沿って下方に落下し、フロントサイドドア６の下縁部に形成された水抜き孔３９を介して外部に排出される。水抜き孔３９は、アウタパネル３１およびインナパネル３２の各下縁部の接合部分の近傍に形成される。
【００４３】
図４は、この実施形態の衝撃伝達部材３７を備えたフロントサイドドア６による側面衝突時の挙動変化を示しており、側面衝突時の衝撃によって車室内側に向かってアウタパネル３１およびインパクトバー３５が変形し、この変形に伴って衝撃伝達部材３７がドアトリム３３（特に、アームレスト部３３ａより下方）を車室内側に移動させる。これにより、インパクトバー３５が変形すると同時に衝撃伝達部材３７を介して乗員の腰部にドアトリム３３を移動、当接させて支持することができる。
【００４４】
また、衝撃伝達部材３７は、車外側の一端部３７ａからドアガラス２５の最下端部２５ａとの干渉を避けるように下方に回り込んで車内側に延びている。このため、ドアガラス２５の昇降動作を阻害することがない。また、衝撃伝達部材３７でも衝撃の一部を吸収するため、側面衝突時の衝撃を緩和しつつドアトリム３３を介して乗員を支持できる。
【００４５】
さらに、衝撃伝達部材３７の他端部３７ｂ（車内側の立設部分）は車室内に近いことが望ましい一方で、インナパネル３２より車内側に水滴等が侵入しないようにシール性を確保することが必要である。そこで、インナパネル３２における衝撃伝達部材３７の車内側の立設部分に対応するパネル部材３２ｃを車内側に膨出させて形成し、衝撃伝達部材３７を収容する収容部３２ｄを形成することで、これらの要求を両立することができる。
【００４６】
また、インナパネル３２をドアモジュールとして構成することで、パネル部材３２ｃのみを樹脂成形できるので、衝撃伝達部材３７の収容部３２ｄを成形する際の自由度を拡大できる。
【００４７】
また、乗員の腰部に近いドアポケット３３ｂを介して乗員を支持することができる。さらに、ドアポケット３３ｂの変形により側面衝突時の衝撃を吸収しつつ乗員を支持できる。
【００４８】
また、図７（ｂ）に示すように、衝撃伝達部材３７の他端部３７ｂは、ドアトリム３３下方のドアポケット３３ｂと車体側面視で重複する位置に配設されているので、図７（ｂ）に示すように、ドアポケット３３ｂの容積を縮小することもなくなる。
【００４９】
［参考例］
図５は、衝撃伝達部材の参考例を示す要部断面図である。
【００５０】
上述したように、衝撃伝達部材３７の他端部３７ｂ（車内側の立設部分）は車室内に近いことが望ましい。このため、図５のように、衝撃伝達部材３７をドアガラス２５の最下端部２５ａの下方を回り込み、さらに、インナパネル３２（パネル部材３２ｃ）を貫通してドアポケット３３ｂ近傍のドアトリム３３まで延設している。ここで、インナパネル３２より車内側に水滴等が侵入しないようにシール性を確保することが必要であるため、衝撃伝達部材３７がインナパネル３２（パネル部材３２ｃ）を貫通する箇所にゴムやラバー製のシール部材４２を装着している。
【００５１】
その他の構成については、第１の実施形態と同様であるので説明を省略する。
【００５２】
［変形例］
図６は、第１の実施形態の変形例の衝撃伝達部材を示す要部断面図である。
【００５３】
図６に示す変形例では、衝撃伝達部材３７の他端部３７ｂ（車内側の立設部分）の車外側、並びにこれに隣接するインナパネル３２の車内側に衝撃吸収材４０、４１を取り付けて、衝撃伝達部材３７に衝撃吸収性を加えている。
【００５４】
なお、上記衝撃吸収材４０，４１は何れか一方のみでもよい。また、上記変形例は、図５の構成にも適用できる。
【００５５】
その他の構成については、第１の実施形態と同様であるので説明を省略する。
【００５６】
上記変形例の衝撃伝達部材３７によれば、側面衝突時に乗員の腰部を支持し、かつ、衝撃に対する緩衝材としても利用できる。
【００５７】
なお、本実施形態では運転席や助手席のフロントサイドドア６内部に衝撃伝達部材３７を配置した構成について説明したが、後部座席のリヤサイドドアに配置した場合でも適用可能である。
【図面の簡単な説明】
【００５８】
【図１】本発明に係る第１の実施形態の自動車の側部構造としてフロントサイドドア内部および車室内を透視して示す車幅方向から見た側面図である。
【図２】第１の実施形態の自動車の側部構造としてフロントサイドドア内部および車室内を車体前方から見た断面図である。
【図３】フロントサイドドア内部の詳細構成を示す断面図である。
【図４】本実施形態の衝撃伝達部材を備えたフロントサイドドアによる側面衝突時の挙動変化を示す断面図である。
【図５】衝撃伝達部材の参考例を示す要部断面図である。
【図６】第１の実施形態の変形例の衝撃伝達部材を示す要部断面図である。
【図７】従来と本発明のフロントサイドドアの構造を比較して示す図である。
【符号の説明】
【００５９】
６  フロントサイドドア（サイドドア）
１３  フロントシート（座席）
２５  ドアガラス（ウインドウガラス）
３１  アウタパネル
３２  インナパネル
３２ａ  上端部（金属製のパネル枠部）
３２ｂ  下端部（金属製のパネル枠部）
３２ｃ  パネル部材（ドアモジュールプレート）
３２ｄ  収容部
３３  ドアトリム
３３ｂ  ドアポケット
３５  インパクトバー
３７  衝撃伝達部材
３７ａ  一端部
３７ｂ  他端部
【図１】
0004725372.tif 000002
【図２】
0004725372.tif 000003
【図３】
0004725372.tif 000004
【図４】
0004725372.tif 000005
【図５】
0004725372.tif 000006
【図６】
0004725372.tif 000007
【図７】
0004725372.tif 000008